(57)【特許請求の範囲】
【請求項１】
画像データを表示部に表示する制御を行う表示制御手段と、
前記表示部に表示する画像データの信号特性を検出する検出手段と、
画像データの編集処理を行うための編集機能が起動状態である場合に、ユーザ指示に応じて前記画像データの編集処理を行う第１処理手段と、
前記検出手段から検出された前記信号特性を用いて決定した、前記画像データの画質調整のための画質調整値を用いて、前記画像データの画像処理を行う第２処理手段と、
前記編集機能が起動状態か停止状態かの情報、および前記画像データの形式を取得する取得手段と、を有し、
前記取得手段により取得された前記編集機能が起動状態か停止状態かの情報、および前記画像データの形式を用いて、前記第２処理手段は、前記画質調整値を用いた前記画像データの画像処理を行うか否かを決定することを特徴とする画像処理装置。
【請求項２】
前記編集機能が起動状態であって、前記画像データの形式がＲＡＷ形式、ＭＰＥＧ形式、ＡＶＩ形式の場合は、前記第２処理手段は、前記画質調整値を用いた前記画像データの画像処理を行わないと決定することを特徴とする請求項１に記載の画像処理装置。
【請求項３】
前記取得手段は、さらに前記画像データが撮影情報を有しているか否かを取得し、
前記編集機能が起動状態であって、前記画像データの形式がＪＰＥＧ形式で、かつ前記撮影情報を有している場合は、前記第２処理手段は、前記画質調整値を用いた画像データの画像処理を行わないと決定することを特徴とする請求項１に記載の画像処理装置。
【請求項４】
前記撮影情報は、撮影日、シャッタ速度及び絞り値の少なくともいずれか１つに関する情報であることを特徴とする請求項３に記載の画像処理装置。
【請求項５】
前記編集機能が停止状態である場合は、前記第２処理手段は、前記画質調整値を用いた画像データの画像処理を行うと決定することを特徴とする請求項１に記載の画像処理装置。
【請求項６】
第１の画像データが入力される第１の画像データ入力手段と、
第２の画像データが入力される第２の画像データ入力手段と、有し、
前記検出手段は、前記第１の画像データ及び前記第２の画像データの信号特性を検出し、
前記第２処理手段は、前記検出手段から検出された前記第１の画像データ及び前記第２の画像データの信号特性を用いて決定した、前記第１の画像データ及び前記第２の画像データの画質調整のための画質調整値を用いて、前記第１の画像データ及び前記第２の画像データの画像処理を行うことを特徴とする請求項１に記載の画像処理装置。
【請求項７】
外部機器でファイルとして生成された第１の画像データが入力される第１の画像データ入力手段と、
第２の画像データが入力される第２の画像データ入力手段と、を有し、
前記取得手段は、前記第１の画像データと前記第２の画像データとのうち、前記第１の画像データの形式を取得することを特徴とする請求項１に記載の画像処理装置。
【請求項８】
画像データの前記信号特性とは、前記画像データの輝度特性、色特性及びエッジ情報の少なくともいずれか１つを含むことを特徴とする、請求項１乃至７のいずれか１項に記載の画像処理装置。
【請求項９】
表示制御手段が、画像データを表示部に表示する制御を行う表示制御工程と、
検出手段が、前記表示部に表示する画像データの信号特性を検出する検出工程と、
第１処理手段が、画像データの編集処理を行うための編集機能が起動状態である場合に、ユーザ指示に応じて前記画像データの編集処理を行う第１処理工程と、
第２処理手段が、前記検出工程で検出された前記信号特性を用いて決定した、前記画像データの画質調整のための画質調整値を用いて、前記画像データの画像処理を行う第２処理工程と、
取得手段が、前記編集機能が起動状態か停止状態かの情報、および前記画像データの形式を取得する取得工程と、を有し、
前記取得工程で取得された前記編集機能が起動状態か停止状態かの情報、および前記画像データの形式を用いて、前記第２処理工程では、前記画質調整値を用いた前記画像データの画像処理を行うか否かを決定することを特徴とする画像処理方法。
【請求項１０】
前記編集機能が起動状態であって、前記画像データの形式がＲＡＷ形式、ＭＰＥＧ形式、ＡＶＩ形式の場合は、前記第２処理工程では、前記画質調整値を用いた前記画像データの画像処理を行わないと決定することを特徴とする請求項９に記載の画像処理方法。
【請求項１１】
前記取得手段が、前記画像データが撮影情報を有しているか否かを取得する第２の取得工程を更に有し、
前記編集機能が起動状態であって、前記画像データの形式がＪＰＥＧ形式で、かつ前記撮影情報を有している場合は、前記第２処理工程では、前記画質調整値を用いた画像データの画像処理を行わないと決定することを特徴とする請求項９に記載の画像処理方法。
【請求項１２】
前記撮影情報は、撮影日、シャッタ速度及び絞り値の少なくともいずれか１つに関する情報であることを特徴とする請求項１１に記載の画像処理方法。
【請求項１３】
前記編集機能が停止状態である場合は、前記第２処理工程では、前記画質調整値を用いた画像データの画像処理を行うと決定することを特徴とする請求項９に記載の画像処理方法。
【請求項１４】
第１の画像データ入力手段に、第１の画像データを入力する第１の画像データ入力工程と、
第２の画像データ入力手段に、第２の画像データを入力する第２の画像データ入力工程と、有し、
前記検出工程では、前記第１の画像データ及び前記第２の画像データの信号特性を検出し、
前記第２処理工程では、前記検出工程で検出された前記第１の画像データ及び前記第２の画像データの信号特性を用いて決定した、前記第１の画像データ及び前記第２の画像データの画質調整のための画質調整値を用いて、前記第１の画像データ及び前記第２の画像データの画像処理を行うことを特徴とする請求項９に記載の画像処理方法。
【請求項１５】
第１の画像データ入力手段に、外部機器でファイルとして生成された第１の画像データを入力する第１の画像データ入力工程と、
第２の画像データ入力手段に、第２の画像データを入力する第２の画像データ入力工程と、を有し、
前記取得工程では、前記第１の画像データと前記第２の画像データとのうち、前記第１の画像データの形式を取得することを特徴とする請求項９に記載の画像処理方法。
【請求項１６】
画像データの前記信号特性とは、前記画像データの輝度特性、色特性及びエッジ情報の少なくともいずれか１つを含むことを特徴とする、請求項９乃至１５のいずれか１項に記載の画像処理方法。
【請求項１７】
コンピュータに、請求項９乃至１６のいずれか１項に記載の画像処理方法の各工程を実行させるためのプログラム。
【請求項１８】
請求項１７に記載のプログラムを格納したことを特徴とするコンピュータが読み取り可能な記憶媒体。
【発明の詳細な説明】
【技術分野】
【０００１】
本発明は、画像処理装置および画像処理方法に関し、特には、画質調整を自動的に行う映像表示装置に用いて好適な画像処理装置および画像処理方法に関する。
【背景技術】
【０００２】
近年では、テレビジョン受像機といった映像表示装置に対し、ノイズリダクション機能、ガンマ補正機能、色調補正機能などの高画質化のため画質調整機能が搭載されることが多くなっている。これらの機能について、個々のパラメータを適切に調整するには、画像の特性に対する比較的高度な知識が必要となる。そのため、映像コンテンツのジャンルなどに応じたパラメータのセットの幾つかを出荷時にプリセットしておくのが一般的である。ユーザは、プリセットを選択するという簡易な操作で、鑑賞の目的に応じた画質の映像を得ることができる。
【０００３】
このようなプリセットの一つとして、ダイナミックモードがある。ダイナミックモードは、表示されている映像の特性に応じて各パラメータを適応的に変化させるものである。一例として、画面の全体にわたって明度が高い映像のときには、明度を抑えると共にガンマ補正値を小さくするようにパラメータを設定することが考えられる。また、画面の全体にわたって明度が低く暗い映像のときには、ガンマ補正値を大きくすると共にコントラストを強め、さらに彩度を上げるようにパラメータを設定することが考えられる。このようなパラメータ制御を映像の表示に応じて適応的に行うことで、ユーザは、明るさや色合いが時系列上で大きく変化する映像であっても、常に見易い画質で鑑賞することができる。
【０００４】
また、近年のテレビジョン受像機は、動画像または静止画像データを入力するための外部入力端子を備える機種が主流となっている。このような機種の中には、この外部入力端子に接続された外部機器から出力される動画像または静止画像データによる映像を、テレビジョン放送による映像と同時に表示できるようになっているものもある。例えば、外部入力端子から供給された動画像または静止画像データによる映像を、テレビジョン放送による映像に対して所定に配置して合成し、１画面上に表示させる。
【０００５】
さらに、テレビジョン受像機に対して、映像や画像の編集を行うアプリケーションを搭載することも提案されている。この場合、外部機器から出力され外部入力端子を介して供給された動画像または静止画像データを、この編集アプリケーションに入力して表示させる。ユーザは、編集アプリケーションにより表示された映像に対し、当該編集アプリケーションのユーザインターフェイスを用いて画質調整などの編集操作を行うことができる。編集操作の結果は、随時、編集アプリケーションによる映像の表示に反映される。
【０００６】
特許文献１には、複数の映像が合成された映像信号に対して、画面上で表示される各映像の範囲情報に基づき、各映像の表示期間に同期させてガンマ補正値を選択するようにした技術が記載されている。特許文献１によれば、画面に表示される各映像について適切なガンマ補正をそれぞれ行うことができる。
【０００７】
【特許文献１】特開平９−１３９８６５号公報
【発明の開示】
【発明が解決しようとする課題】
【０００８】
ここで、上述したダイナミックモードと編集アプリケーションとを組み合わせて用いる場合について考える。例えば、編集アプリケーションは、動画像または静止画像データに対して画質調整を行った結果の映像を画面に表示させる。ユーザは、この表示を見ながら、この編集アプリケーションにより当該動画像または静止画像データに対してさらに画質調整を行うことができる。
【０００９】
ところが、テレビジョン受像機の画質調整機能としてダイナミックモードが選択されていると、画像編集アプリケーションによる画質調整の結果の表示に対して、ダイナミックモードによる画質調整がさらに行われることになる。そのため、画像編集アプリケーションによる画質調整におけるユーザの意図が正しく反映されない表示となってしまうおそれがあるという問題点があった。
【００１０】
例えば、動画像または静止画像データに対して、当該動画像または静止画像データの撮影時の撮影条件を示すデータが付加されている場合がある。ユーザは、画像編集アプリケーションを用いて、この撮影情報データに基づき撮影時の環境を考慮した画質調整を行うことができる。しかしながら、ダイナミックモードによる画質調整が撮影時の環境を反映しているとは限らず、撮影時における撮影者の意図が正しく反映されないおそれがある。
【００１１】
また、特許文献１の方法では、画面に表示される各映像の範囲毎に補正を行うようにしているため、例えば画像編集アプリケーションによる表示範囲のみ、画質調整を行わないような制御が可能である。しかしながら、この場合、画素毎に画質調整機能の有効／無効を制御する必要があり、回路構成が複雑になってしまう。
【００１２】
本発明の目的は、画質調整機能を有する画像処理装置において、簡便な構成により、ユーザが意図した画像編集を実現することが可能な画像処理装置および画像処理方法を提供することにある。
【課題を解決するための手段】
【００１３】
本発明は、上述した課題を解決するために、画像データを表示部に表示する制御を行う表示制御手段と、前記表示部に表示する画像データの信号特性を検出する検出手段と、画像データの編集処理を行うための編集機能が起動状態である場合に、ユーザ指示に応じて前記画像データの編集処理を行う第１処理手段と、前記検出手段から検出された前記信号特性を用いて決定した、前記画像データの画質調整のための画質調整値を用いて、前記画像データの画像処理を行う第２処理手段と、前記編集機能が起動状態か停止状態かの情報、および前記画像データの形式を取得する取得手段と、を有し、前記取得手段により取得された前記編集機能が起動状態か停止状態かの情報、および前記画像データの形式を用いて、前記第２処理手段は、前記画質調整値を用いた前記画像データの画像処理を行うか否かを決定することを特徴とする画像処理装置を提供する。
【００１４】
また、本発明は、表示制御手段が、画像データを表示部に表示する制御を行う表示制御工程と、検出手段が、前記表示部に表示する画像データの信号特性を検出する検出工程と、第１処理手段が、画像データの編集処理を行うための編集機能が起動状態である場合に、ユーザ指示に応じて前記画像データの編集処理を行う第１処理工程と、第２処理手段が、前記検出工程で検出された前記信号特性を用いて決定した、前記画像データの画質調整のための画質調整値を用いて、前記画像データの画像処理を行う第２処理工程と、取得手段が、前記編集機能が起動状態か停止状態かの情報、および前記画像データの形式を取得する取得工程と、を有し、前記取得工程で取得された前記編集機能が起動状態か停止状態かの情報、および前記画像データの形式を用いて、前記第２処理工程では、前記画質調整値を用いた前記画像データの画像処理を行うか否かを決定することを特徴とする画像処理方法を提供する。
【発明の効果】
【００１５】
本発明は、上述した構成を有するため、画質調整機能を有する画像処理装置において、簡便な構成により、ユーザが意図した画像編集を実現することが可能である。
【発明を実施するための最良の形態】
【００１６】
以下、本発明の実施形態を、図面を参照しながら説明する。図１は、本発明の実施形態を適用可能な映像表示装置１００の一例の構成を示す。図１の例では、映像表示装置１００は、アンテナ１０１で受信されたテレビジョン放送による映像を表示部１１６に表示するテレビジョン受像機である。この映像表示装置１００は、外部機器で生成された動画像または静止画像データをファイルとして受け取って編集する編集機能を有する。映像表示装置１００は、編集機能による編集画面と、テレビジョン放送による映像とを１つの画面に合成して表示させることができる。
【００１７】
なお、以下では、特に記載のない限り、動画像または静止画像データを画像データ、動画像または静止画像データを格納する動画像または静止画像ファイルを画像ファイルとして記述する。
【００１８】
制御手段としての制御部１２０は、例えばＣＰＵ、ＲＡＭ、ＲＯＭなどからなり、ＲＯＭに予め記憶されたプログラムに従い、ＲＡＭをワークメモリとして用いて、この映像表示装置１００の全体を制御する。ユーザ操作受け付け手段としての操作部１２１は、複数の操作子が設けられ、ユーザによる操作を受け付ける。操作部１２１は、ユーザの操作子に対する操作に応じた制御信号を出力する。この制御信号は、制御部１２０に供給される。制御部１２０は、この制御信号に応じて、映像表示装置１００の各部にコマンドなどを送信し、映像表示装置１００がユーザ操作に応じた動作を行うように制御する。
【００１９】
上述では、操作部１２１による操作子が映像表示装置１００に対して直接的に設けられているように説明したが、これはこの例に限定されない。例えば、操作部１２１は、例えば操作子に対する操作に応じた制御信号を赤外線信号に変調して送信するリモートコントロールコマンダと、当該赤外線信号を受信し復調する受信部とから構成してもよい。
【００２０】
例えば地上デジタル放送による電波が第２の画像データ入力手段としてのアンテナ１０１に受信され、ＲＦ信号に変換されてチューナ部１０２に供給される。チューナ部１０２は、アンテナ１０１から供給されたＲＦ信号から、例えば操作部１２１に対するユーザ操作に応じて特定の周波数帯域の信号を選択して復調し、ＭＰＥＧ２−ＴＳを復元する。復元されたＭＰＥＧ２−ＴＳは、デマルチプレクサに１０３より必要なパケットが取り出され、ＭＰＥＧ２のエレメンタリストリームとされ、ＭＰＥＧデコーダ１０４に供給される。
【００２１】
また、デマルチプレクサ１０３において、受信された信号に含まれるデータ放送による信号が取り出され、復号される。復号されたデータにＪＰＥＧ方式で圧縮符号化された静止画像データ（以下、ＪＰＥＧデータ）が含まれているときには、このデータをＪＰＥＧデコーダ１１０に供給する。
【００２２】
ＭＰＥＧデコーダ１０４は、デマルチプレクサ１０３から供給されたＭＰＥＧ２のエレメンタリストリームを復号し、ベースバンドの動画像データと音声データとを出力する。第２の画像データとしてのベースバンドの動画像データは、合成部１０５に供給されると共に、信号特性取得部１１７に供給される。なお、音声データについては、本発明と特に関わりがないので、図示および説明を省略する。
【００２３】
一方、外部機器でファイルとして生成された第１の画像データとしての画像データが、第１の画像データ入力手段としての外部接続端子１０６に入力され、フォーマット判別部１０７に供給される。外部機器としては、例えばデジタルスチルカメラやデジタルビデオカメラが考えられる。一般的なパーソナルコンピュータも、外部機器として用いることができる。これらの場合、外部接続端子１０６は、ＵＳＢやＩＥＥＥ１３９４といった所定のインターフェイスに対応する。また、外部機器として、フラッシュメモリといった脱着可能な不揮発性メモリを用いることもできる。この場合、外部接続端子１０６は、当該メモリに対応したコネクタと、その駆動回路とからなる。
【００２４】
フォーマット判別手段としてのフォーマット判別部１０７は、外部接続端子１０６から供給されたファイルのフォーマットを判別する。例えば、当該ファイルのファイル名に含まれる拡張子に基づき、フォーマットの判別を行うことができる。ファイルのヘッダ部分を解析してフォーマットの判別を行うことも可能である。この図１の例では、フォーマット判別部１０７は、当該ファイルがＭＰＥＧ２形式、ＡＶＩ形式、ＪＰＥＧ形式およびＲＡＷ形式の何れのフォーマットであるかを判別する。フォーマットの判別結果は、ファイル形式情報として制御部１２０に供給される。
【００２５】
また、フォーマット判別部１０７でＭＰＥＧ２形式のファイルであると判別されたファイルは、ＭＰＥＧ２ファイルとしてＭＰＥＧデコーダ１０８に供給される。ＡＶＩ形式のファイルであると判別されたファイルは、ＡＶＩファイルとしてＡＶＩデコーダ１０９に供給される。ＪＰＥＧ形式であると判別されたファイルは、ＪＰＥＧファイルとしてＪＰＥＧデコーダ１１０に供給される。また、ＲＡＷ形式であると判別されたファイルは、ＲＡＷファイルとしてＲＡＷ現像部１１１に供給される。
【００２６】
ＭＰＥＧデコーダ１０８は、供給されたＭＰＥＧ２ファイルに格納されるＭＰＥＧ２データを復号し、ベースバンドの動画像データとして出力する。ＭＰＥＧデコーダから出力された動画像データは、画像編集部１１２に供給されると共に、信号特性取得部１１７に供給される。
【００２７】
ＡＶＩデコーダ１０９は、供給されたＡＶＩファイルを解析し、当該ＡＶＩファイルに格納されるデータが復号可能であるか否かを判断する。復号可能であると判断されれば、当該ＡＶＩファイルに格納されるデータを復号し、ベースバンドの動画像データとして出力する。ＡＶＩデコーダ１０９から出力された動画像データは、画像編集部１１２に供給されると共に、信号特性取得部１１７に供給される。
【００２８】
ＪＰＥＧデコーダ１１０は、供給されるＪＰＥＧファイルに格納されるＪＰＥＧデータを復号し、ビットマップによる静止画像データとして出力する。ＪＰＥＧデコーダ１１０から出力された静止画像データは、画像編集部１１２に供給されると共に、信号特性取得部１１７に供給される。
【００２９】
ＲＡＷ現像部１１１は、供給されたＲＡＷファイルに格納されるＲＡＷデータを現像し、ビットマップによる静止画像データとして出力する。ＲＡＷ現像部１１１から出力された静止画像データは、画像編集部１１２に供給される。
【００３０】
信号特性取得手段としての信号特性取得部１１７は、ＭＰＥＧデコーダ１０４から供給された画像データの信号特性を取得する。また、信号特性取得部１１７は、ＭＰＥＧデコーダ１０８、ＡＶＩデコーダ１０９またはＪＰＥＧデコーダ１１０から供給された画像データの信号特性も取得する。信号特性取得部１１７による信号特性の取得動作は、例えばＭＰＥＧデコーダ１０４から供給される画像データのフレームタイミングに基づき、フレーム毎、数フレーム毎、数十フレーム毎といった所定間隔でなされる。
【００３１】
例えば、信号特性取得部１１７は、供給された画像データから輝度成分および色成分を抽出して解析し、当該画像データの輝度特性および色特性を取得する。また例えば、信号特性取得部１１７は、供給された画像データに対してエッジ検出を行い、エッジ情報を取得する。なお、これら輝度特性、色特性およびエッジ情報は、画像の信号特性の一例であって、この例に限定されるものではない。
【００３２】
信号特性取得部１１７は、取得したＭＰＥＧデコーダ１０４からの画像データの信号特性と、ＭＰＥＧデコーダ１０８、ＡＶＩデコーダ１０９またはＪＰＥＧデコーダ１１０からの画像データの信号特性とを統合した信号特性を求める。この統合された信号特性を示す情報は、映像処理部１１４に供給する。
【００３３】
フォーマット判別部１０７でフォーマット判別されたＪＰＥＧファイルおよびＲＡＷファイルは、それぞれ撮影情報取得部１１３にも供給される。撮影情報取得部１１３は、供給されたファイルに撮影情報が含まれるか否かを判定し、含まれると判定されたら、その撮影情報をファイルから抽出し、画像編集部１１２および制御部１２０に供給する。ファイルに撮影情報が含まれないと判定されたら、その旨を制御部１２０に通知する。
【００３４】
例えば、撮影情報取得部１１３は、供給されたＪＰＥＧファイルやＲＡＷファイルがＥｘｉｆデータを持っているかどうかを調べる。なお、Ｅｘｉｆは、Exchangeable Image File Formatの略である。当該ファイルがＥｘｉｆデータを持っていたら、ファイルから、撮像日やシャッタ速度、絞り値など、撮影時の各種情報を抽出する。抽出されたこれら撮影情報は、画像パラメータとして画像編集部１１２および制御部１２０に供給される。
【００３５】
画質補正手段としての画像編集部１１２は、ＭＰＥＧデコーダ１０８、ＡＶＩデコーダ１０９、ＪＰＥＧデコーダ１１０およびＲＡＷ現像部１１１から供給された動画像データや静止画像データに対して、制御部１２０の制御に応じて編集処理を行う。また、画像編集部１１２による画像編集機能の起動および停止は、操作部１２１に対する操作に応じて制御部１２０により制御される。
【００３６】
なお、ここでいう画像編集部１１２による編集処理は、例えば画質補正処理であって、映像または画像に対してコントラスト、シャープネス、彩度などの補正を行う。画像編集部１１２は、画質補正を行うための処理画面である画像編集画面を生成し、画面の所定領域に編集対象となる動画像データや静止画像データを表示させる。また、画像編集画面には、撮影情報取得部１１３から供給された画像パラメータに基づく値や、補正を行う各パラメータを変更するための操作子が表示される。画像編集画面の具体的な例は、後述する。この画像編集画面を表示するための画像データが合成部１０５に供給される。
【００３７】
なお、画像編集部１１２は、実際には、例えば制御部１２０が有するＣＰＵ上で動作するプログラムにより実現される。これに限らず、画像編集部１１２を、制御部１２０により制御される固有のハードウェアで構成することもできる。
【００３８】
また、画像編集部１１２により編集された画像データは、画像編集画面に対する表示にのみ用いてもよいし、図示は省略するが、外部接続端子１０６を介して外部機器に供給してもよい。この映像表示装置１００にハードディスクなどの記録媒体を設け、編集済みの画像データを保持することも考えられる。
【００３９】
合成部１０５は、制御部１２０の制御に基づき、ＭＰＥＧデコーダ１０４から供給された動画像データによる画像と、画像編集部１１２から供給された画像編集画面による画像とを１画面上に所定に配置し、１つの画像に合成して出力する。ＭＰＥＧデコーダ１０４および画像編集部１１２の何れか一方からのみ、画像データが供給されている場合には、その画像データを出力する。画像の合成方法は、様々に考えられるが、例として、画素単位でタイミング制御を行ってデータの置換を行う方法や、複数のプレーンメモリを用いた方法を適用することができる。また、合成の際には、不透明度αおよび不透明度αの補数を用いたアルファブレンディングを行うことができる。合成部１０５から出力された画像データは、映像処理部１１４に供給される。
【００４０】
映像処理部１１４は、予め、信号特性情報と画質調整のパラメータとしての画質調整値とが対応付けられて格納される、画質調整値データベース１１５が接続される。映像処理部１１４は、制御部１２０の制御に従い、信号特性取得部１１７から供給された信号特性情報に基づき画質調整値データベース１１５を参照し、画質調整値を選択する。そして、この選択された画質調整値をパラメータとして、合成部１０５から供給された画像データに対して画質調整処理を行う。信号特性取得部１１７から所定間隔で供給される信号特性情報に応じて、随時、画質調整を行うことで、映像に対して時間方向に対して適応的に画質調整を行う、ダイナミックモードが実現される。
【００４１】
なお、映像処理部１１４で行われる画質調整は、様々に考えられる。例えば、画像データに対する処理としては、ノイズリダクション処理、ガンマ補正処理、シャープネス（エッジ強調）処理、色（色調）補正処理などが挙げられる。また、表示部１１６の表示デバイスがＬＣＤといったバックライトが必要なデバイスであれば、映像処理部１１４は、ＬＣＤに対するバックライトの明度を画質調整として行うことができる。ダイナミックモードでは、これらの処理が、信号特性取得部１１７から供給された信号特性情報に基づき、ダイナミックに行われる。
【００４２】
映像処理部１１４によるダイナミックモードを有効とするか無効とするかは、制御部１２０により制御される。すなわち、制御部１２０は、操作部１２１に対する操作に応じて、映像処理部１１４でダイナミックモードの有効および無効を制御する。詳細は後述するが、制御部１２０は、フォーマット判別部１０７による判定結果に応じてダイナミックモードの有効および無効を制御することもできる。
【００４３】
映像処理部１１４から出力された画像データは、表示部１１６に供給される。表示部１１６は、例えばＬＣＤといった表示デバイスと、当該表示デバイスを駆動する駆動回路とからなる。なお、ＬＣＤは、Liquid Crystal Displayの略称である。
【００４４】
図２は、画像編集部１１２による画像編集画面２００の一例の構成を示す。領域２０１に、ＭＰＥＧデコーダ１０８、ＡＶＩデコーダ１０９、ＪＰＥＧデコーダ１１０またはＲＡＷ現像部１１１から供給された画像データが表示される。領域２０２は、撮影情報取得部１１３で取得された画像パラメータに基づく表示がなされる。図２の例では、領域２０２に対して、コントラスト、シャープネスおよび色の濃さを示す値がそれぞれ表示されると共に、輝度成分のヒストグラムが表示される。領域２０３は、ユーザが操作部１２１に対する操作により調整可能なパラメータと、当該操作を行うための操作子（図２の例ではスライドバー表示）とが表示される。
【００４５】
操作部１２１により領域２０３に設けられた操作子を操作すると、操作に応じて対応するパラメータが変更され、その結果が領域２０１に表示される画像に反映される。
【００４６】
また、領域２０１にＲＡＷ現像部１１１からの画像データによる画像が表示される場合には、操作に応じて変更された画像パラメータをＲＡＷ現像部１１１に供給し、ＲＡＷ現像部１１１に対して当該画像パラメータを用いて再現像を行うように命令する。ＲＡＷ現像部１１１は、この命令に従い、供給された画像パラメータに基づきＲＡＷデータの現像を再度行う。これにより、画像編集画面２００の領域２０１に対して、ＲＡＷデータの再現像後の画像が表示される。
【００４７】
操作子２０４（図２の例ではボタン）は、画像編集部１１２による画像編集機能の停止を指示するためのものである。制御部１２０は、操作部１２１によりこの操作子２０４が操作されると、画像編集機能を停止させ、画像編集画面２００を画面から消去させる。なお、画像編集部１１２による画像編集機能の起動は、例えば、制御部１２０により表示制御されるシステムメニューなどに表示される、該当する機能を示す操作子を操作部１２１により操作することで行われる。
【００４８】
次に、本発明の実施形態によるダイナミックモードの制御について説明する。本発明の実施形態では、画像編集部１１２による画像編集機能の起動および停止に応じて、ダイナミックモードの有効および無効を切り替える。また、画像編集部１１２に供給される特定の形式のファイルについて、撮影情報を持っているか否かでも、ダイナミックモードの有効および無効を切り替える。より具体的には、以下の条件に従い、ダイナミックモードの有効および無効を制御する。
【００４９】
先ず、ダイナミックモードを有効とする条件は、以下に記す（１）および（２）の２つである。
（１）画像編集機能が停止状態である。
（２）画像編集機能が起動状態で、且つ、外部接続端子１０６に対して撮影情報を持っていないＪＰＥＧファイルが入力された。
【００５０】
一方、ダイナミックモードを無効とする条件は、以下に記す（３）、（４）および（５）の３つである。
（３）画像編集機能が起動状態で、且つ、外部接続端子１０６に対してＲＡＷファイルまたは動画像ファイル（ＭＰＥＧファイル、ＡＶＩファイル）が入力された。
（４）画像編集機能が起動状態で、且つ、外部接続端子１０６に対して撮影情報を持っているＪＰＥＧファイルが入力された。
（５）画像編集機能が起動状態で、且つ、外部接続端子１０６に対してファイル入力が無い。
【００５１】
本発明の実施形態では、上述の条件（１）〜（５）に基づきダイナミックモードの有効および無効を制御している。そのため、外部接続端子１０６に入力された画像ファイルによる画像に対する画質補正などの編集処理を施し高画質化を図る際に、ダイナミックモードによる画質制御の影響を受けることがない。
【００５２】
なお、撮影情報を持っていないＪＰＥＧファイルは、画質補正において特に高画質化が要求されていないと考え、ダイナミックモードを有効とする。勿論、撮影情報を持っていないＪＰＥＧファイルに対する画像編集の際にダイナミックモードを無効とするようにもできる。
【００５３】
図３は、上述した条件（１）〜（５）を判定し、ダイナミックモードの有効および無効を制御するための、本発明の実施形態による一例の処理を示すフローチャートである。
【００５４】
なお、図３のフローチャートにおける各ステップは、制御部１２０によりプログラムに従い実行される。また、制御部１２０は、ダイナミックモードの有効および無効を示す情報（例えばフラグ）に従い、映像処理部１１４におけるダイナミックモードの有効および無効を制御するものとする。また、図３のフローチャートによる処理の実行に先立って、映像処理部１１４において、ダイナミックモードが有効とされているものとする。
【００５５】
ステップＳ１０で、制御部１２０は、画像編集部１１２による画像編集機能が起動されているか否かを判断する。若し、起動されていないと判断されれば、処理はステップＳ１１に移行され、外部接続端子１０６にファイル入力があるか否かが判断される。若し、ファイル入力がないと判断されれば、処理はステップＳ１０に戻される。
【００５６】
ステップＳ１１で、外部接続端子１０６に対してファイル入力があると判断されたら、処理はステップＳ１２に移行され、画像編集部１１２による画像編集機能が起動される。そして、次のステップＳ１３で、外部接続端子１０６に対して入力されたファイルのファイルフォーマットがフォーマット判別部１０７により判定され、判定結果に基づく処理の分岐が行われる。
【００５７】
ステップＳ１３で、フォーマット判別部１０７により、外部接続端子１０６に入力されたファイルがＲＡＷファイルまたは動画像ファイル（ＭＰＥＧファイル、ＡＶＩファイル）であると判定されたら、処理はステップＳ１４に移行される。
【００５８】
一方、ステップＳ１３で、外部接続端子１０６に入力されたファイルがＪＰＥＧファイルであると判定されたら、処理はステップＳ１８に移行される。ステップＳ１８では、制御部１２０は、撮影情報取得部１１３の出力に基づき、当該ＪＰＥＧファイルが撮影情報（この場合は、Ｅｘｉｆ情報）を持っているか否かが判断される。若し、持っていると判断されれば、処理はステップＳ１４に移行される。
【００５９】
また、上述したステップＳ１０で、画像編集機能が起動されていると判断されたら、処理はステップＳ１７に移行され、外部接続端子１０６にファイル入力があるか否かが判断される。若し、ファイル入力があると判断されれば、処理はステップＳ１３に移行される。この判断は、例えば、制御部１２０がフォーマット判別部１０７に対して、外部接続端子１０６へのファイル入力があったか否かを問い合わせることで行うことができる。一方、ファイル入力がないと判断されれば、処理はステップＳ１４に移行される。
【００６０】
ステップＳ１４では、ダイナミックモードの有効および無効を制御するフラグ（以下、ダイナミックモード制御フラグ）が、無効を示す値に設定される。そして、制御部１２０は、このダイナミック制御フラグの値に応じて、現在ダイナミックモードが有効の状態であると判断したら、映像処理部１１４を制御して、ダイナミックモードが無効の状態に遷移させる。現在ダイナミックモードが無効の状態であれば、映像処理部１１４に対して何もしない。ステップＳ１４の処理が終了すると、処理はステップＳ１５に移行される。
【００６１】
一方、ステップＳ１８で、当該ＪＰＥＧファイルが撮影情報を持っていないと判断されたら、処理はステップＳ１９に移行される。ステップＳ１９では、ダイナミックモード制御フラグが、有効を示す値に設定される。そして、処理は、ステップＳ１５に移行される。
【００６２】
ステップＳ１５では、画像編集部１１２による画像編集機能が停止されているか否かが判断される。若し、画像編集機能が停止されていない、すなわち、起動されていると判断されれば、処理はステップＳ１０に戻される。一方、画像編集機能が停止されていると判断されたら、処理はステップＳ１６に移行され、ダイナミックモード制御フラグが、有効を示す値に設定される。
【００６３】
＜他の実施形態＞
上述の実施形態は、システム或は装置のコンピュータ（或いはＣＰＵ、ＭＰＵ等）によりソフトウェア的に実現することも可能である。また、上述の映像表示装置１００の主要部（例えば制御部１２０）は、ＣＰＵ、プログラムを格納するためのＲＯＭ、ワークメモリとしてのＲＡＭを有し、コンピュータと見なすことができる。
【００６４】
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００６５】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００６６】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００６７】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００６８】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【００６９】
つまり、上述の実施形態を実現するためのプログラムファイルをクライアントコンピュータに提供するサーバ装置も本発明の一つである。
【００７０】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【００７１】
また、上述の実施形態を実現するためのコンピュータプログラムは、すでにコンピュータ上で稼働するＯＳの機能を利用するものであってもよい。
【００７２】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００７３】
【図１】本発明の実施形態を適用可能な映像表示装置の一例の構成を示すブロック図である。
【図２】画像編集画面の一例の構成を示す図である。
【図３】本発明の実施形態による一例の処理を示すフローチャートである。
【符号の説明】
【００７４】
１００  映像表示装置
１０４  ＭＰＥＧデコーダ
１０５  合成部
１０６  外部入力端子
１０７  フォーマット判別部
１０８  ＭＰＥＧデコーダ
１０９  ＡＶＩデコーダ
１１０  ＪＰＥＧデコーダ
１１１  ＲＡＷ現像部
１１２  画像編集部
１１３  撮影情報取得部
１１４  映像処理部
１１５  画質調整値データベース
１１７  信号特性取得部
１２０  制御部
１２１  操作部
【図１】
0005346498.tif 000002
【図３】
0005346498.tif 000003
【図２】
0005346498.tif 000004